(57)【特許請求の範囲】
【請求項１】
遊技機の扉又は遊技機を施錠するものであり、それと接続されたロッドの上下方向の移動に基づいて開錠するようになっている施錠装置、と組み合わせて用いられるものであり、
遊技機との固定をなすベースと、
前記ベースから遊技機の前側方向に伸びる筒状の外筒と、
特定の鍵と噛み合う鍵穴をその先端に有し、前記外筒の中に内蔵された前記遊技機の前側方向に伸びる筒状の内筒であり、前記特定の鍵が挿入された状態でその軸回りに回転できるようにされたものと、
前記内筒と同軸で前記内筒の延長線上後方に延びる軸体と、
前記軸体に取付けられており、その角度を変えることにより、その少なくとも一端が、前記遊技機のロッドの孔に嵌り込み前記ロッドを上下方向に移動させることで前記施錠装置を開錠するフックと、
所定の操作手段の操作により前記フックを任意の位置まで回転させるための動力を生じる、前記遊技機の後方に配される駆動手段と、
前記フックの回転を前記内筒に伝えないようにする伝達防止手段と、
を備えている開錠装置であって、
前記伝達防止手段は、前記特定の鍵が挿入された前記内筒がその軸回りに回転した場合に機能しなくなるようになっており、
前記伝達防止手段が機能しなくなるようにされた後においては、前記特定の鍵によって回転する前記内筒の回転により、前記フックを回転させられるようになっている、
開錠装置。
【請求項２】
前記伝達防止手段は、前記特定の鍵が挿入された前記内筒がその軸回りに回転してその一部が除去された場合に機能しなくなるようになっている、
請求項１記載の開錠装置。
【請求項３】
前記駆動手段は、前記軸体の後側に前記軸体と同軸で設けられた前記フックを回転させるための動力を発生する回転軸を有するアクチュエータである、
請求項１記載の開錠装置。
【請求項４】
前記駆動手段は、前記遊技機が取付けられる島に取付けられているとともに、
前記駆動手段が生じる動力を前記駆動手段から前記フックまで伝達する伝達手段を備えている、
請求項１記載の開錠装置。
【請求項５】
前記伝達手段は線状体である、
請求項４記載の開錠装置。
【請求項６】
前記軸体に取付けられた、前記軸体よりも大径であり、前記軸体と同軸であるとともに、前記駆動手段により回転する円盤と、
前記円盤と前記フックとを接続する接続手段とを備えており、
前記円盤の回転にしたがって、前記フックが回転するようになっている、
請求項１記載の開錠装置。
【請求項７】
前記伝達防止手段が機能しないようにされた場合には、
前記フックに、前記駆動手段が生じる動力が伝わらないようになっている、
請求項１記載の開錠装置。
【請求項８】
前記伝達防止手段が機能しないようにされた場合には、
前記フックと前記接続手段との間の接続がなくなるようになっている、
請求項６記載の開錠装置。
【請求項９】
前記円盤の円形の面と平行で、且つそれらの中間に引いた線の延長が前記軸体に向かう略平行な２本の線状体であり、それらの先端が前記円盤の向こう側に回りこんだ状態で前記円盤の側面に固定されたもの、
を備えており、
前記線状体の一方を引くことで、当該一方の線状体側に、前記線状体の他方を引くことで、当該他方の線状体側に、前記円盤を回転させることで、前記フックを回転させられるようになっており、
前記駆動手段は、前記２本の線状体と、前記２本の線状体のうちの任意の一方を引くことができるようになっている線状体制御手段と、により構成されている、
請求項６記載の開錠装置。
【請求項１０】
前記線状体制御手段は、前記円盤と同じ半径の円盤であり、その中心を軸として任意の方向に回転させることができる駆動円盤を含んでおり、
前記２本の線状体の他端は、前記円盤の円形の面と平行で、且つそれらの中間に引いた線の延長が前記駆動円盤の軸に向かうようになっているとともに、それらの先端が前記駆動円盤の向こう側に回りこんだ状態で前記駆動円盤の側面に固定されている、
請求項９記載の開錠装置。
【請求項１１】
前記線状体制御手段は、前記遊技機が取付けられる島に取付けられている、
請求項１０記載の開錠装置。
【請求項１２】
前記円盤の側面には、前記線状体を案内する溝が設けられている、
請求項９又は１０記載の開錠装置。
【請求項１３】
前記駆動円盤の側面には、前記線状体を案内する溝が設けられている、
請求項１０記載の開錠装置。
【請求項１４】
前記フックは、前記軸体の長さ方向に沿って移動可能とされ、且つ前記フックを前方に付勢する付勢手段により前方に付勢されているとともに、
前記伝達防止手段は、前記フックと当接して前記フックの前側への移動を妨げる移動防止部材と、前記移動防止部材の前後方向の位置決めを行う位置決め部材とを備えているとともに、前記位置決め部材は、前記特定の鍵が挿入された前記内筒がその軸回りに回転した場合に除去されるようになっており、
前記フックは、前記位置決め部材が除去されることにより、前記移動防止部材とともに前方に移動した場合に、前記内筒の後ろ側の端部と係止し合うようになっている、
請求項１記載の開錠装置。
【請求項１５】
前記軸体の径に対応する孔を備え、且つ軸体にその孔を貫かれた状態で軸体に取付けられたフック係止体を備えていると共に、前記フックは前記伝達防止手段の少なくとも一部が除去される前においては前記フック係止体と係止し合うようになっている、
請求項１記載の開錠装置。
【請求項１６】
前記位置決め部材は、前記特定の鍵が挿入された前記内筒がその軸回りに回転した場合に不可逆に除去されるようになっている、
請求項１４記載の開錠装置。
【請求項１７】
請求項１記載の開錠装置が取付けられた遊技機。
【発明の詳細な説明】
【技術分野】
【０００１】
本発明は、遊技機、及びその扉の開錠を行うために用いられる開錠装置に関する。
【背景技術】
【０００２】
遊技機（この場合の『遊技機』はパチンコ遊技機であるが、この明細書における『遊技機』の文言は、パチンコ遊技機のみならず、パチスロ遊技機を含む場合があり、特に特許請求の範囲の『遊技機』の文言はパチスロ遊技機を含む。）は一般に、盤面を覆う開閉自在の扉を備え、その扉を開けた状態で、釘の調整、盤面の清掃、遊技により釘の間に詰まった玉の除去等の必要な作業を行えるようになっている。また、遊技機は一般に、枠と呼ばれる中抜きの矩形の部材に取付けられた状態で、島と呼ばれる構造物に取付けられるが、遊技機は、例えば遊技機の裏側の配線の修理等の目的で、島に対して開閉できるようになっている。
これら作業を行うのは基本的にはホールの店員か、遊技機の整備を行う業者等の限られた者のみであり、遊技者が遊技機及びその扉を開閉できないようにすべきことは不正防止の面から当然である。
このような事情に鑑みて、遊技機には、遊技機とその扉の施錠を行うための施錠装置が設けられている。
【０００３】
従来の遊技機に取付けられている施錠装置は多くの場合、上述のように、遊技機の扉用の施錠装置と、遊技機用の施錠装置の２つである。これら２つの施錠装置はともに、遊技機の扉を閉めた場合、または遊技機を閉めた場合に自動的に施錠を行うようなものとされている。
他方、これら２つの施錠装置は、以下のような仕組みで開錠させられるようになっている。各施錠装置は、一般にロッド（乃至竿）と呼ばれる上下方向に延びる棒状体と接続されており、ロッドが上下のいずれかの方向に移動したときに、開錠されるようになっている。通例、遊技機の扉の施錠装置はそれと接続されたロッドが下に動いたときに開錠され、遊技機の施錠装置はそれと接続されたロッドが上に動いたときに開錠されるようになっている。つまり、２本のロッドのうちの一方は下、他方は上という逆方向に動いたときに、それに接続された施錠装置が開錠されるようになっている。
【０００４】
遊技機には、上述のロッドを上下させることでそれと接続された施錠装置を開錠させる開錠装置が取付けられている。従来の開錠装置は、一般的に一つであり、一つの開錠装置で２本のロッドのうちの一方を下に、他方を上に移動させられるようになっている。
従来の開錠装置は、一般的なシリンダー錠と似通った構造をしている。開錠装置は、錠とそれと対になる特定の鍵からなる。錠はそれと対になる特定の鍵と噛み合う鍵穴を有する内筒と、内筒を同軸で内蔵した外筒と、内筒の回転にともなって回転する、内筒に直接或いは他の部材を介して取付けられた２つの端部を有するフックとを有し、鍵穴に挿入された鍵を回転させることによって回転する内筒の回転によって生じるフックの角度変化により、上述の２本のロッドを個別に上下させる。
上述の２本のロッドにはそれぞれ、上述したフックの端部と嵌り合う孔（又は穴でも良いが、この明細書では「孔」という語でこれらをまとめる。）が設けられている。フックは、フックが所定の方向に回転した場合、フックの一方の端部が一方のロッドの孔に嵌り合い当該ロッドを押し下げるように、またフックが逆の方向に回転した場合、フックの他方の端部が他方のロッドの孔に嵌り合い当該ロッドを押し上げるようになっている。つまり、この開錠装置は、内筒に鍵を挿入し、内筒を任意の方向に回転させることにより、遊技機の扉の施錠装置に接続されたロッドを下に移動させることと、遊技機の施錠装置に接続されたロッドを上に移動させることとの双方を選択的に実現させられるようになっており、それにより遊技機の扉と遊技機の任意のものを開放できるように、２つの施錠装置のいずれかを開放できるようになっている。
【０００５】
なお、スロット遊技機も、島に対して開放可能となっており、その開放を防ぐための遊技機用の施錠装置と、当該施錠装置を開放するために用いられるロッドと、そのロッドを上下方向に移動させるための開錠装置と、を備えている。
また多くのスロット遊技機は、扉を開放するようにはなっておらず、そのため、扉の開放を防ぐための扉用の施錠装置、及び扉用の施錠装置を開放するために用いられるロッドは備えていない。この場合の開錠装置は、パチンコ遊技機に用いられている上述の開錠装置からフックの他方の端部の機能を失わせたものとして構成することができる。
また、スロット遊技機は、その上下方向の移動によりスロット遊技機に対して所定の信号を供給する（例えば、異常の生じたスロット遊技機をリセットする信号を供給する）機器に接続されたロッドを、上述のパチンコ遊技機の場合における扉用の施錠装置を開錠するロッドの代わりに備えていることがある。この場合、遊技機用の施錠装置を開放するためのロッドと、所定の信号生成用のロッドは開錠装置により逆向きに移動させられるように設計されるが、その場合の開錠装置は実質的にパチンコ遊技機で用いられる上述の開錠装置と同じ構造となる。
【０００６】
パチンコ用、或いはスロット用の上述の開錠装置は、遊技者による自由な扉の開閉を防止するには十分に効果的である。しかしながら、悪意のあるホールの店員が存在する場合にはその限りではない。例えば、悪意あるホールの店員が、第三者の眼を盗んで鍵又は不正に作った合鍵を用いるなどして遊技機の扉又は遊技機を開けて、場合によっては遊技者と共同して、不正を働くこともないとはいえない。
【０００７】
そのような可能性を防ぐべく、例えば特開２００６−６２４に開示の如く、ホールの上述の外筒の中に、電気信号により操作可能な例えばアクチュエータである駆動装置を設け、アクチュエータのシャフトに上述のフックを取付けることで、遊技機の扉又は遊技機を開錠する開錠装置が提案されている。
この開錠装置では、上述の外筒と内筒を交換して、鍵を用いることができないようにすることで、上述のような悪意あるホールの店員による不正を排除することとしている。つまり、この開錠装置によれば、有線又は無線の電気信号で駆動装置を操作する装置の複製は難しいから、この装置の管理を、例えばその使用履歴を電子データとして残すなどしてしっかりと行うこととすれば、悪意あるホールの店員による不正は略回避できる。しかもこの開錠装置はフック及び外筒を扉に固定する部品などは従来の開錠装置が備えていたものを流用できるため、コスト的にも有利である。
【発明の概要】
【発明が解決しようとする課題】
【０００８】
しかしながら、かかる技術にも改良すべき点がないとはいえない。
駆動装置を用いる上述の開錠装置は、駆動装置が故障した場合にはフックを動かすことができなくなるため、遊技機の扉又は遊技機を施錠した状態で駆動装置が故障した場合には外筒及びその中に収納された部品をすべて除去しなければ扉を開けることができなくなる。このような作業は手間であるし、また遊技機を傷つけるおそれもあるので好ましくない。
【０００９】
本発明は、駆動装置を用いる上述の開錠装置を、従来通り鍵を用いて使用できるように改良することをその課題とする。
【課題を解決するための手段】
【００１０】
本願発明者は、上述の課題を解決するために、以下のような開錠装置を提案する。
本願発明者が提案するのは、遊技機の扉又は遊技機を施錠するものであり、それと接続されたロッドの上下方向の移動に基づいて開錠するようになっている施錠装置、と組み合わせて用いられるものであり、遊技機との固定をなすベースと、前記ベースから遊技機の前側方向に伸びる筒状の外筒と、特定の鍵と噛み合う鍵穴をその先端に有し、前記外筒の中に内蔵された前記遊技機の前側方向に伸びる筒状の内筒であり、前記特定の鍵が挿入された状態でその軸回りに回転できるようにされたものと、前記内筒と同軸で前記内筒の延長線上後方に延びる軸体と、前記軸体に取付けられており、その角度を変えることにより、その少なくとも一端が、前記遊技機のロッドの孔に嵌り込み前記ロッドを上下方向に移動させることで前記施錠装置を開錠するフックと、所定の操作手段の操作により前記フックを任意の位置まで回転させるための動力を生じる、前記遊技機の後方に配される駆動手段と、前記フックの回転を前記内筒に伝えないようにする伝達防止手段と、を備えている開錠装置である。
そして、この開錠装置の前記伝達防止手段は、前記特定の鍵が挿入された前記内筒がその軸回りに回転した場合に機能しなくなるようになっており、前記伝達防止手段が機能しなくなるようにされた後においては、前記特定の鍵によって回転する前記内筒の回転により、前記フックを回転させられるようになっている。
この開錠装置は、フックを回転させ、それによりロッドを上下方向に移動させて遊技機用又はその扉用の施錠装置の開錠を行うという古くから存在する開錠装置の構成をその基本として備える。
そして、この開錠装置は、フックを、駆動手段と、特定の鍵の２つの手段を用いて回転させることができる。なお、フックにより開錠される施錠装置（及びロッド）は、少なくとも１つあれば良いが、例えば、従来のパチンコ遊技機のように２つでも良い。施錠装置及びロッドが２つの場合には、フックの回転方向の別により、フックの一端で一方のロッドを押し上げフックの他端で他方のロッドを押し下げるようにすることができる。
駆動手段を用いてフックを回転させる場合に、フックの回転が内筒に伝わると、特定の鍵がささっていない内筒は回転不能にロックされているから、そのままではフックは回転できない。しかしながら、本発明は、駆動手段を用いてフックを回転させる場合にフックの回転を内筒に伝えないようにする伝達防止手段を備えているから、駆動手段により発生させた動力にてフックを回転させることができる。これは、従来技術同様、例えば電気信号により操作可能な駆動装置を用いて、扉の開錠と施錠を行えることを意味する。これにより、悪意あるホールの店員による不正を排除することが基本的に可能となる。
他方、この開錠装置は、特定の鍵が挿入された内筒がその軸回りに回転した場合に機能しなくなるようになっており、伝達防止手段が機能しなくなった後においては、特定の鍵によって回転する内筒の回転により、フックを回転させられるようになっている。つまり、この開錠装置は、駆動手段が故障したなどの特別の事情が生じた場合には、開錠装置を破壊したり交換したりすることなく、鍵を用いて遊技機又はその扉の開錠を行うことができる。しかも、鍵を用いて遊技機又はその扉を施錠する施錠装置の開錠を行えるようにするために必要なのは、鍵を用いて内筒を回転させるという通常の扉の施錠、開錠の処理のみなので、ホールの店員などに特殊な操作を強要することがない。その上、伝達防止手段が機能しなくなった場合には、伝達防止手段を元に戻すまでの少なくとも一定時間は鍵を用いて遊技機又はその扉用の施錠装置を開錠した痕跡が残るから、ホールの店員などに鍵を悪用される可能性は低い。
【００１１】
前記伝達防止手段が機能しなくなるための仕組みには特に制限はないが、例えば、前記特定の鍵が挿入された前記内筒がその軸回りに回転してその一部が除去された場合に伝達防止手段が機能しなくなるようになっていてもよい。この場合、伝達防止手段の一部は、前記特定の鍵が挿入された前記内筒がその軸回りに回転した場合に不可逆に除去されるようになっていてもよい。伝達防止手段の一部の除去が不可逆になされるのであれば、鍵を用いた痕跡を消すことが困難になるから、ホールの店員などに鍵を悪用される可能性が益々低くなる。
なお、前記伝達防止手段が機能しなくなった場合には、前記フックに、前記駆動手段が生じる動力が伝わらないようになっていてもよい。伝達防止手段が機能しなくなり、内筒の回転によりフックを回転させられるようになった場合であっても、駆動手段から生じる動力がフックに伝わるようになっていると、フックを回転させる場合に駆動手段が負荷となることが考えられる。伝達防止手段が機能しないようになった場合には、フックに、前記駆動手段が生じる動力が伝わらないようになっていれば、内筒の回転によるフックの回転が容易になる。
【００１２】
本願発明は、前記軸体に取付けられた、前記軸体よりも大径であり、前記軸体と同軸であるとともに、前記駆動手段により回転する円盤と、前記円盤と前記フックとを接続する接続手段とを備えており、前記円盤の回転にしたがって、前記フックが回転するようになっていてもよい。円盤の存在により、回転モーメントを小さくして、フックの回転を容易にすることが可能となる。
円盤、接続手段が存在する場合、本願発明の開錠装置は、前記伝達防止手段が機能しなくなった場合には、前記フックと前記接続手段との間の接続がなくなるようになっていてもよい。これは、伝達防止手段が機能しなくなった場合には、フックに、駆動手段が生じる動力が伝わらないようにするための一例となるが、接続手段を設ければ、フックに、駆動手段が生じる動力が伝わらないようにするのが容易になる。
【００１３】
駆動手段は、上述のように扉の後側の適当な部分に設けられる。扉の後側のどこに駆動手段を設けてもよい。また、駆動手段は、所定の操作手段の操作により軸体を任意の位置まで回転させるための動力を生じるものとなっていればその詳細は問わない。電力、油圧等その動力源は適宜選択すればよいが、遊技機が設置される環境を考慮すれば電力を動力源とするのが現実的であろう。
例えば、前記駆動手段は、前記軸体の後側に前記軸体と同軸で設けられた前記フックを回転させるための動力を発生する回転軸を有するアクチュエータであってもよい。特に、アクチュエータを、円筒形状であり、その一方の円形の面の中央に当該面に垂直な回転軸を持つものとした場合には、大まかに言えば、外筒からアクチュエータまでを一連の円筒形状として設計することが可能となり、開錠装置全体をコンパクトにすることが可能となる。
前記駆動手段は、前記遊技機が取付けられる島に取付けられているとともに、前記駆動手段が生じる動力を前記駆動手段から前記フックまで伝達する伝達手段を備えていてもよい。この場合の駆動手段は、開錠装置の本体ともいうべき部分（ベースを含む一纏まりの部品群がある部分）から離れて配置されることになる。扉の後側は、遊技機の動作に必要な配線などにより空間的に制限されるが、伝達手段を用いてフックの回転のための動力を駆動手段からフックに伝達することとすれば、駆動手段を置くべきスペースについての制限がなくなる。特に、島に駆動手段を取付けることにした場合には、島から遊技機を取り外した場合であっても、駆動手段又は駆動手段と伝達手段をそのまま次に島に取付けられる遊技機に流用できるから、これらの取付けの手間と、コスト面で有利になる。
この場合の伝達手段は、動力の伝達を行えるものであればどのようなものでも構わない。例えば、歯車の組み合わせ、チェーンなどで形成の無限軌道などを用いることができる。前記伝達手段は線状体とすることができる。線状体を伝達手段として用いた場合には、線状体が持つ曲折できるという特性により、駆動手段の配置位置に対する自由度が更に高まる。線状体は例えばワイヤである。線状体は一本とは限らず複数本とすることができる。
線状体を伝達手段に用いる場合、開錠装置は、上述の如き円盤と、前記円盤の円形の面と平行で、且つそれらの中間に引いた線の延長が前記軸体に向かう略平行な２本の線状体であり、それらの先端が前記円盤の向こう側に回りこんだ状態で前記円盤の側面に固定されたものと、を備えていてもよい。
そして、前記線状体の一方を引くことで、当該一方の線状体側に、前記線状体の他方を引くことで、当該他方の線状体側に、前記円盤を回転させることで、前記フックを回転させられるようにすることができる。この場合、前記駆動手段は、前記２本の線状体と、前記２本の線状体のうちの任意の一方を引くことができるようになっている線状体制御手段と、により構成されることになる。２本の線状体を用いるのは、線状体は通常引く力しか伝達できないため、２本の線状体を用いなければフックを一方向にしか回転させられないことがあるからである。軸体に取付ける上述の円盤は回転モーメントを小さくして、軸体の回転を容易にする目的で取付けられる。
この場合の線状体制御手段は、例えば以下のようなものとすることができる。前記線状体制御手段は、前記円盤と同じ半径の円盤であり、その中心を軸として任意の方向に回転させることができる駆動円盤を含んでおり、前記２本の線状体の他端は、前記円盤の円形の面と平行で、且つそれらの中間に引いた線の延長が前記駆動円盤の軸に向かうようになっているとともに、それらの先端が前記駆動円盤の向こう側に回りこんだ状態で前記駆動円盤の側面に固定されているものとすることができる。
この線状体制御手段は、軸体に取付けられた円盤と同じ半径の円盤である駆動円盤を備えている。そして、軸体に取付けられた円盤と駆動円盤は、対称の構造となっている。したがって、２本の線状体を介して結ばれた円盤と駆動円盤は、駆動円盤が回転したのと同じ向きに同じ角度だけ円盤が回転するという関係にある。これにより、２本の線状体と円盤を用いた軸体の回転の制御が容易になる。
なお、以上説明した円盤は、その側面に、前記線状体を案内する溝が設けられていてもよい。これにより、線状体による円盤の回転を安定して行えるようになる。また、駆動円盤の側面にも同様に、線状体を案内する溝が設けられていてもよい。駆動円盤の回転による線状体の動作を安定させられるようになるからである。
以上説明した線状体制御手段は、遊技機が取付けられる島に取付けることができる。そうすることにより、駆動手段を島に取付けた場合と同様の利点を得られる。
【００１４】
上述したように、伝達防止手段は、軸体の回転を内筒に伝えないようにするものであり、それが除去される等して機能しないようになった後においては、特定の鍵によって回転する内筒の回転により、フックを回転させられるようになっている。つまり、伝達防止手段が除去された後においては、軸体と内筒が接続された状態となる。
伝達防止手段が機能しないようになった後に軸体と内筒が接続された状態とするための構成は特に制限はない。例えば、前記フックは、前記軸体の長さ方向に沿って移動可能とされ、且つ前記フックを前方に付勢する付勢手段により前方に付勢されているとともに、前記伝達防止手段は、前記フックと当接して前記フックの前側への移動を妨げる移動防止部材と、前記移動防止部材の前後方向の位置決めを行う位置決め部材とを備えているとともに、前記位置決め部材は、前記特定の鍵が挿入された前記内筒がその軸回りに回転した場合に除去されるようになっており、前記フックは、前記位置決め部材が除去されることにより、前記移動防止部材とともに前方に移動した場合に、前記内筒の後ろ側の端部と係止し合うようになっていてもよい。付勢手段による付勢力により、フックと内筒の確実な係止を実現せんとするものである。
また、前記軸体の径に対応する孔を備え、且つ軸体にその孔を貫かれた状態で軸体に取付けられたフック係止体を備えていると共に、前記フックは前記伝達防止手段の少なくとも一部が除去される前においては前記フック係止体と係止し合うようになっていてもよい。この場合、フックは孔を備えており、その孔にフック係止体の少なくとも一部又は内筒の後側の端部の少なくとも一部を入れることにより、フックとフック係止体、或いはフックと内筒を選択的に係止させることが出来るようにすることも可能である。従来の開錠装置の後側の端部に嵌り合う孔をフックに設け、また、その孔と嵌り合う凸部をフック係止体に設けることで、伝達防止手段の少なくとも一部が除去された後においてフックと内筒とを係止することが可能となるばかりでなく、本願発明の内筒に従来の内筒を流用できるとともに、フックがフック係止体と係止している場合（伝達防止手段の少なくとも一部が除去される前）においてフックが回転してもガタが生じないようになる。
【００１５】
本願発明者は、また、以上の開錠装置が取付けられた遊技機も本願発明の一つとして提案する。これによっても、以上説明した作用効果を得られる。
【図面の簡単な説明】
【００１６】
【図１】第１実施形態の開錠装置が取付けられた遊技機と当該遊技機が取付けられた島の構成を示す側断面図。
【図２】図１に示した島を島の内部後方から見た状態を示す斜視図。
【図３】図１に示した開錠装置の本体部のベース体の構成を示す側断面図。
【図４】（Ａ）は、図１に示した開錠装置の本体部の構造を示す斜視図、（Ｂ）は、同背面図、（Ｃ）は、同側面図。
【図５】図４に示した開錠装置の本体部の分解斜視図。
【図６】（Ａ）は、図４に示した開錠装置の本体部に含まれるロータ、及び押し板の分解斜視図、（Ｂ）は、同ロータの組立後の側面図。
【図７】図４に示した開錠装置の本体部に含まれるロータと線状体の関係を示す正面図。
【図８】（Ａ）は、図１に示した開錠装置の駆動部の構成を示す斜視図、（Ｂ）は、同分解斜視図。
【図９】図８に示した開錠装置の駆動部から後部カバーを除いた状態を示す斜視図。
【図１０】第２実施形態の開錠装置の構成を示す側面図。
【図１１】図１０に示した開錠装置の分解斜視図。
【図１２】図１０に示した開錠装置の半円部材が除去された状態を示す側面図。
【図１３】（Ａ）は、図１に示した第１ロッド及び第２ロッドの構成を示す図、（Ｂ）は第１ロッド及び第２ロッドの位置関係及び動き方を示す図。
【図１４】（Ａ）は、初期状態におけるフックとフック係止体と内筒係止体の関係を概略的に示した断面図、（Ｂ）は、鍵を用いて内筒を回転させた場合におけるフックとフック係止体と内筒係止体の関係を概略的に示した断面図。
【発明を実施するための形態】
【００１７】
以下、本発明の第１実施形態と第２実施形態を、図面を参照しながら詳細に説明する。なお、両実施形態の説明で重複する対象には同じ符号を付すものとし、重複する説明は、場合により省略するものとする。
【００１８】
≪第１実施形態≫
図１、図２に、第１実施形態における開錠装置１が取付けられた遊技機２が固定された島３を示す。図１は遊技機２が取付けられた島３を概略で示す側面図であり、図２は遊技機２が取付けられた島３を島３の内部から見た状態を概略で示す斜視図である。なお、図１の左側、図２の奥側が遊技機２の前側である。
【００１９】
島３は、多数の遊技機２が取付けられる構造物である。図２に示された遊技機２は一つであるが、一般には遊技機２は複数横並びに配置される。また、遊技機２の間には玉貸し機が一般に置かれるが、これの図示も省略した。
島３は、これには限られないが、木製である。島３は、上板３１と下板３２を備える。下板３２は遊技機２を載置するための板であり、下板３２の上に遊技機２が固定される。下板３２は灰皿等の取付けが可能なように若干前方に突き出しており、またその下方には下板３２を支える部材が存在するが、それらの図示は図１、図２では省略している。
遊技機２は、上板３１と下板３２に挟まれて配置される。遊技機２は本来は、枠と呼ばれる一般的には木製の４枚の板で形成した四角い木枠に取付けた状態で上板３１と下板３２の間に置かれるが、図１、図２ではそれらの図示を省略した。遊技機２は、島に固定される枠に対してヒンジ接続されており、島に対して、より詳細には島に固定された枠に対して開閉できるようになっている。
また、上板３１の前側の上方には、垂直な板が配置され、それに呼び出しランプなどの必要な機器が設置されるが、これらの図示も省略されている。
【００２０】
遊技機２は、盤面を有する遊技機本体２１とその前面に取付けられた扉２２を有している。扉２２は、この実施形態ではその右側端部付近を遊技機本体２１に対してヒンジ接続されている。
【００２１】
遊技機２には、遊技機２の島３に対する開放を行えないようにするための遊技機２用の施錠装置と、また遊技機２の扉２２の開放を行えないようするための遊技機２の扉２２用の施錠装置が設けられている。これら施錠装置は、いずれも周知のものであるので図示を省略するが、遊技機２を島３に対して閉めた場合、或いは遊技機本体２１に対して扉２２を閉めた場合に、施錠の動作を行うようになっている。
他方、遊技機２の背面には、これら施錠装置を解錠するためのロッド８が設けられている。
ロッド８は、２本の細長い板状の部材である第１ロッド８１及び第２ロッド８２から構成されている。この実施形態では、第１ロッド８１は、遊技機２の島３に対する開放を行えないようにするための遊技機２用の施錠装置と接続され、当該施錠装置を開錠する機能を有している。他方、第２ロッド８２は、遊技機２に対する扉２２の開放を行えないようにするための遊技機２の扉２２用の施錠装置と接続され、当該施錠装置を開錠する機能を有している。また、この実施形態では、第１ロッド８１は、遊技機２を正面から見た場合における開錠装置１のやや左側に、第２ロッド８２は、第１ロッド８１と殆ど接した状態で、第１ロッド８１の左側に位置するようにして、事実上垂直に配されている。
第１ロッド８１と、第２ロッド８２は図１３（Ａ）に示されたような同様の構造をしており、細長い板状に構成され、且つ２つの孔Ｈを備えており、また孔Ｈの間にバーＢを備えている。ただし、第１ロッド８１と、第２ロッド８２では孔ＨとバーＢの位置は異なる。
第１ロッド８１と第２ロッド８２は、上述したような位置関係で開錠装置１の近傍に、図１３（Ｂ）に示したように、その孔Ｈを互い違いにしたような状態で配されている。なお、図１３（Ｂ）のＢ又はＨの後の符号は、それが第１ロッド８１のものか、第２ロッド８２のものかを示している。
第１ロッド８１、第２ロッド８２ともに上下方向に移動可能となっている。この実施形態では、第１ロッド８１は常に下方に付勢されており、その付勢力に抗して第１ロッド８１が上方に移動した場合には、第１ロッド８１に接続された遊技機２用の施錠装置が開錠されるようになっている。他方、第２ロッド８２は常に上方に付勢されており、その付勢力に抗して第２ロッド８２が下方に移動した場合には、第２ロッド８２に接続された扉２２用の施錠装置が開錠されるようになっている。より詳細にいうと、第１ロッド８１のバーＢがその下方から後述するフックに上向き（図１３(Ｂ)における矢印Ｕの向き）に押された場合に第１ロッド８１は上方に移動し、また、第２ロッド８２のバーＢがその上方から後述するフックに下向き（図１３(Ｂ)における矢印Ｄの向き）に押された場合に第２ロッド８２は下方に移動する。
【００２２】
開錠装置１は、遊技機２から離れた適当な場所に配された駆動部４と、遊技機２に内蔵された本体部５と、これらを繋ぐ伝達体６とを備えている。必ずしもこの限りではないが、この実施形態の駆動部４は、島３の上板３１の上の上板３１の後側の縁付近に配されている。
後述するように、この実施形態の伝達体６は、２本の線状体をチューブに挿入したものである。伝達体６は、ステップル７で、その経路を適当に決定されている。
【００２３】
本体部５の構成を、図３〜６に示す。
本体部５は、ベース体に種々の部品を組み付けてなる。
図３は、本体部５が備えるベース体５１を示す側断面図である。
ベース体５１は、金属製である。ベース体５１は、板状のベース板５１１を備えている。ベース板５１１は、図４に示したように五角形を潰したような形状である。ベース板５１１の両端には、円形の孔５１２が穿たれており、またその中心付近にも円形の孔５１２Ａが穿たれている。
ベース板５１１の前側にはこの実施形態では円筒形状とされた外筒５１３がベース板５１１と一体として設けられている。外筒５１３は、その断面円形の内部空間に内筒５１４を備えている。外筒５１３と内筒５１４は、その組み合わせにより一般的なシリンダー錠として機能するようになっている。
内筒５１４は、外筒５１３の内部空間の径よりもやや小径の円柱形状であり、その前側の円形の端面に開口した長手方向に沿う鍵穴５１５を有している。内筒５１４は、外筒５１３に対して通常の状態では図示を省略の一般的なタンブラーにより固定されているが、鍵穴５１５にその鍵穴５１５に合った、図示を省略の特定の鍵を挿入した場合には、タンブラーによる固定が解除されて、外筒５１３に対して回転できるようになる。
内筒５１４の後側の端部付近には内筒５１４よりも小径で円筒形の段差部５１６が設けられている。段差部５１６の後側の面には、段差部５１６よりも小径で円筒形の内筒係止体５１７が設けられている。内筒５１４、段差部５１６、内筒係止体５１７は一体に形成されており、いずれも同軸である。段差部５１６の径は、ベース板５１１の孔５１２Ａの径と略同じであり、且つその長さは、その後側の面がベース板５１１の孔５１２Ａの深さの途中に留まる程度になっている。また、内筒係止体５１７の径は、孔５１２Ａの径よりも小径であり、且つその長さは孔５１２Ａから幾らか突出する程度になっている。内筒係止体５１７の前側には、内筒係止体５１７の側面、段差部５１６の後側の面、及びベース板５１１の孔５１２Ａの内側の面に囲まれた溝Ｘができることになる。段差部５１６の後側の面には、内筒係止体５１７の側面付近から段差部５１６の半径方向に延びる細長い直方体形状の突出部５１６Ａが設けられている。結果的に、突出部５１６Ａは、上述の溝Ｘの中に位置することになる。
内筒係止体５１７の後側の面には、略半球状の凹面５１８が設けられており、また凹面５１８の内側には、その内周面にネジ切りがされた内筒孔５１８Ａが設けられている。内筒穴５１８Ａにはボルト５３の先端が挿入される。また、内筒係止体５１７には、その一部を切り欠くようにして、切欠部５１９が設けられている。切欠部５１９は、内筒係止体５１７の後側の面の軸対称な位置をそれぞれ、断面Ｌ字型に切り欠いた形状となっている。切欠部５１９が存在する部分における内筒係止体５１７の断面（内筒係止体５１７をその前後方向に垂直な平面で切断した場合に現れる断面）の形状は、略小判型となっている。
【００２４】
本体部５の詳細な構造を図４に示す。
図４（Ａ）は本体部５の斜視図、同（Ｂ）は同背面図、同（Ｃ）は同側面図である。
なお、これらの図では、外筒５１３の記載は省略している。
【００２５】
本体部５のベース体５１に含まれるベース板５１１の後側の面（外筒５１３が設けられていたのとは逆側の面）には、種々の部品が組み付けられている。
部品は、断面略コの字型でその両端にフランジ５２１のあるカバー５２に収納されている。両フランジ５２１には、ベース板５１１の両端に設けられた円形の孔５１２に対応するように配置された孔５２２が設けられている。この孔５２２は、図４に示されたようにして、孔５２２と孔５１２とをまとめて貫通させたネジ５２２Ａを用いて、本体部５を遊技機２に取付けるために用いられる。より正確には、本体部５は、遊技機２が備える扉２２の後側の面であり、本体部５が備える後述のフックが後述する施錠位置にあるときに、図示を省略の座受けに入るような位置に取付けられることになる。
カバー５２の略中央には、この実施形態では断面円形とされた孔５２３が穿たれており、またその孔５２３の傍には、その凹んだ部分に孔５２３を嵌めこむような状態で断面略ハート型とされたハート孔５２４が穿たれている。
カバー５２の孔５２３が設けられた面と、フランジ５２１とに挟まれた面のうち、ハート孔５２４から遠い側の面には、略小判型の線状体孔５２５が設けられている。
【００２６】
上述の孔５２３には、ボルト５３が挿入されており、このボルト５３に種々の部品が嵌め込まれることになる。なお、ボルト５３は、孔５２３と固定されていない。他方、ボルト５３の先端は、内筒穴５１８Ａに螺合されている。
図５の本体部５の分解図に示したように、ボルト５３には、ロータ５４、押し板５５、フック５６、フック係止体５７が取付けられる。また、フック係止体５７の前側から、内筒５１４の段差部５１６の後側の面までの間には、板バネ５８と、２つの半円部材５９が配置される。
【００２７】
ロータ５４は、後述する線状体により回転させられるようになっており、その回転によりフック５６を回転させるものである。
ロータ５４の構造を、図６（Ａ）の分解図と、同（Ｂ）の組立後のロータ５４の側面図を用いて説明する。
この実施形態のロータ５４は、ボルト５３の頭部に近い方から順に、第１ロータ５４１、第２ロータ５４２、第３ロータ５４３、第４ロータ５４４を備えている。第１ロータ５４１〜第４ロータ５４４は、図５に示したように一体に組立てられる。
【００２８】
第１ロータ５４１は、円形の板である第１ロータ本体５４１Ａの上に、上下に潰したハート型のような形状の板状の凸部材５４１Ｂが設けられたものとなっている。第１ロータ本体５４１Ａの中心には、ボルト５３を貫通させるためのこの実施形態では断面円形の孔５４１Ｃが穿設されている。孔５４１Ｃは、凸部材５４１Ｂには掛からないようになっている。
凸部材５４１Ｂの上には、これもこの実施形態では断面円形の孔５４１Ｄが２つ穿たれている。この孔５４１Ｄはいずれも、第１ロータ本体５４１Ａをも貫通している。この孔５４１Ｄは図４或いは図６に示されているボルト５４１Ｅを貫通させるためのものであるが、これについての説明は追って行う。
【００２９】
第２ロータ５４２は、円形の板である。第２ロータ５４２の径は、第１ロータ５４１が備える第１ロータ本体５４１Ａの径と同一である。
第２ロータ５４２の中心には、ボルト５３を貫通させるためのこの実施形態では断面円形の孔５４２Ａが穿設されている。また、第２ロータ５４２には、後述するスプリングを貫通させるための、孔５４２Ａと略同径の孔５４２Ｂが３つ穿設されている。なお、孔５４２Ｂは必ずしも３つである必要はない。これら孔５４２Ａ、孔５４２Ｂはいずれも、第２ロータ５４２を貫通している。また、３つの孔５４２Ｂは、互いに正三角形の頂点に位置するような位置関係になっている。
また、第２ロータ５４２には、後述するガイド棒を貫通させるための、孔５４１Ａよりは小径の孔５４２Ｃが３つ穿設されている。なお、孔５４２Ｃは必ずしも３つである必要はない。これら孔５４２Ｃはいずれも、第２ロータ５４２を貫通していても良いし、例えば同じ深さで、第２ロータ５４２の第３ロータ５４３側の面のみ開口していても良い。この実施形態では、孔５４２Ｃはいずれも、第２ロータ５４２を貫通している。また、３つの孔５４２Ｃは、互いに正三角形の頂点に位置するような位置関係になっているがこの場合に観念される正三角形は、孔５４２Ｂにより観念される正三角形を、その重心を中心として左右どちらかの方向へ６０度回転させたものとなっている。
第２ロータ５４２の第３ロータ５４３側の面には、また、断面６角形の２つのナット５４２Ｄが取付けられている。ナット５４２Ｄは、それが備えるその内面にネジ切りのされた孔５４２Ｅが第１ロータ５４１の２つの孔５４１Ｄと対応する位置に設けられている。この孔５４２Ｅに、ボルト５４１Ｅを螺合させることができるようになっている。また、２つのナット５４２Ｄの矩形の側面のうち、側面を一つ飛ばした２つの側面には、後述するワイヤを通すための取付孔５４２Ｆが穿たれている。
【００３０】
第３ロータ５４３は、円形の一部を切り欠いた形状とされた板である。第３ロータ５４３の径は、第１ロータ５４１が備える第１ロータ本体５４１Ａの径よりも一回り小さい。
第３ロータ５４３の中心には、ボルト５３を貫通させるためのこの実施形態では断面円形の孔５４３Ａが穿設されている。また、第３ロータ５４３には、後述するスプリングを貫通させるための孔５４３Ｂが３つ穿たれている。３つの孔５４３Ｂは、第２ロータ５４２の孔５４２Ｂと同径であり、またその位置が対応するようになっている。これら孔５４３Ａ、孔５４３Ｂはいずれも、第３ロータ５４３を貫通している。
また、第３ロータ５４３には、後述するガイド棒を貫通させるための孔５４３Ｃが２つ穿設されている。２つの孔５４３Ｃは、第２ロータ５４２の孔５４２Ｃと同径であり、またその位置が対応するようになっている。２つの孔５４３Ｃはいずれも、第３ロータ５４３を貫通している。
第３ロータ５４３の切り欠かれた部分は、ロータ５４を組み立てた場合に第３ロータ５４３が２つのナット５４２Ｄに干渉しないようになっており、また、第３ロータ５４３が２つの孔５４３Ｃを貫通しない後述するガイド棒とも干渉しないようになっている。
【００３１】
第４ロータ５４４は、円形の板である。第４ロータ５４４の径は、第１ロータ５４１が備える第１ロータ本体５４１Ａの径と同一である。
第４ロータ５４４の中心には、ボルト５３を貫通させるためのこの実施形態では断面円形の孔５４４Ａが穿設されている。また、第４ロータ５４４には、後述するスプリングを貫通させるための孔５４４Ａと略同径の孔５４４Ｂが３つ穿設されている。これら孔５４４Ａ、孔５４４Ｂはいずれも、第４ロータ５４４を貫通している。また、３つの孔５４４Ｂは、第２ロータの孔５４２Ｂとその位置が対応させられている。
また、第４ロータ５４４には、後述するガイド棒を貫通させるための孔５４４Ｃが３つ穿設されている。この孔５４４Ｃの大きさは第２ロータ５４２の孔５４２Ｃに等しく、またその位置は孔５４２Ｃの位置に対応している。
第４ロータ５４４には、また、第２ロータ５４２に取付けられた２つのナット５４２Ｄを挿入するための、当該ナット５４２Ｄの断面形状に対応した六角形の断面を持つ孔５４４Ｄが設けられている。ロータ５４の組立後においては、第４ロータ５４４の露出する面と、ナット５４２Ｄの第１ロータ５４１から遠い側の面は、面一となるようになっている。
【００３２】
このロータ５４は次のように組み立てられる。
ロータ５４は、第１ロータ５４１、第２ロータ５４２、第３ロータ５４３、第４ロータ５４４を、隣り合う者同士を密着して固定して構成される。このときの固定の手段は、これには限られないが、例えば接着を用いることができる。
【００３３】
かかる固定を行うにあたり、第１ロータ５４１の孔５４１Ｃ、第２ロータ５４２の孔５４２Ａ、第３ロータ５４３の孔５４３Ａ、第４ロータ５４４の孔５４４Ａを互いに一致させ、これらがボルト５３を貫通させられるような一連の孔を構成するようにする。
また、第２ロータ５４２の３つの孔５４２Ｂ、第３ロータ５４３の３つの孔５４３Ｂ、及び第４ロータ５４４の３つの孔５４４Ｂをそれぞれ互いに一致させ、これらがスプリングを貫通させられるような一連の孔を構成するようにする。
また、第２ロータ５４２の３つの孔５４２Ｃ、第４ロータ５４４の３つの孔５４４Ｃをそれぞれ互いに一致させるとともに、第２ロータ５４２の３つの孔５４２Ｃと第４ロータ５４４の３つの孔５４４Ｃのうちのそれぞれ２つと、第３ロータ５４３の２つの孔５４３Ｃをそれぞれ互いに一致させ、それらがガイド棒を貫通させられるような一連の孔を構成するようにする。
その上で、第１ロータ５４１の孔５４１Ｃ、第２ロータ５４２の孔５４２Ａ、第３ロータ５４３の孔５４３Ａ、第４ロータ５４４の孔５４４Ａにより構成された孔に、ボルト５３を貫通させる。この状態で、ロータ５４はボルト５３に対して固定されずボルト５３を軸として自由に回転できるようになる。
また、第２ロータ５４２の３つの孔５４２Ｂ、第３ロータ５４３の３つの孔５４３Ｂ、及び第４ロータ５４４の３つの孔５４４Ｂによりそれぞれ構成された３つの孔に、図５、図６に示した３つのスプリングＳをそれぞれ挿入する。スプリングＳの一端は、第１ロータ５４１の第２ロータ５４２寄りの面に固定されても良いが、固定されていなくてもよい。この実施形態ではかかる固定は行わないこととする。
また、第２ロータ５４２の３つの孔５４２Ｃのうちの２つと、第４ロータ５４４の３つの孔５４４Ｃのうちの２つと、第３ロータ５４３の２つの孔５４３Ｃをそれぞれ互いに一致させた一連の孔と、第２ロータ５４２の３つの孔５４２Ｃのうちの残りと、第４ロータ５４４の３つの孔５４４Ｃのうちの残りとにより形成された第３ロータ５４３の部分で途切れた孔に、図５、図６に示した３つのガイド棒Ｇをそれぞれ挿入する。この場合、ガイド棒Ｇは、例えば、各孔へ圧入することにより、ロータ５４と固定される。ガイド棒Ｇとロータ５４との固定はこの限りではなく、例えば、接着による固定を行ってもよい。
【００３４】
次いで、押し板５５について説明する。図５、図６に押し板５５が図示されている。
押し板５５は、円形の板である。押し板５５の径は、第１ロータ５４１が備える第１ロータ本体５４１Ａの径と同一である。
押し板５５の中心には、ボルト５３を貫通させるためのこの実施形態では断面円形の孔５５Ａが穿設されている。また、押し板５５には、ガイド棒Ｇを貫通させるための孔５５Ｃが３つ穿設されている。この孔５５Ｃの大きさは第２ロータ５４２の孔５４２Ｃよりその径が若干大きく、またその位置は孔５４２Ｃの位置に対応している。
押し板５５は、ボルト５３を貫通させることでボルト５３の長さ方向にスライド可能な状態でボルト５３に取付けられる。また、押し板５５の３つの孔５５Ｃには３本のガイド棒Ｇをそれぞれ貫通させる。押し板５５は、ガイド棒Ｇに対してスライド可能となっている。
上述のスプリングＳの前側の端部は、押し板５５に当接させられる。スプリングＳの前側の端部は、押し板５５に固定されていても構わないが、この実施形態ではそのような固定は行われていない。この状態でスプリングＳは、圧縮された状態とされている。したがって、押し板５５はスプリングＳにより常時前側に向かって付勢された状態となる。
【００３５】
次いで、フック５６について説明する。図４、図５にフック５６が図示されている。
フック５６は、円板状のフック本体５６Ａと、その両側に設けられたフック部５６Ｂ１、５６Ｂ２とからなる。フック本体５６Ａには、その短辺を若干外側に膨らませた略矩形形状の係止孔５６Ｃが穿たれている。
上述したように、切欠部５１９が存在する部分における内筒係止体５１７の断面の形状は、略小判型となっているが、係止孔５６Ｃはその断面に嵌り合う略小判型の形状をしている。
後述するようにフック５６は、係止孔５６Ｃの中心を中心として回転するようになっている。図４に示された位置がフック５６の基本の位置であり、フック５６は、その位置から図４（Ｂ）の方向から見て時計回り、又は反時計回りに回転する。時計回り、反時計回りに回る場合のいずれも、この実施形態のフック５６は上述の基本の位置からおよそ４５°弱回転するようになっている。
フック５６が時計回りに回転した場合、フック部５６Ｂ１は、第１ロッド８１のバーＢにその下方から当接し、バーＢを上向き（図１３(Ｂ)における矢印Ｕの向き）に押す。これにより、第１ロッド８１は上方に移動して第１ロッド８１に接続された遊技機２用の施錠装置が開錠されるようになっている。他方、フック５６が反時計回りに回転した場合、フック部５６Ｂ２は、第２ロッド８２のバーＢにその上方から当接し、バーＢを下向き（図１３(Ｂ)における矢印Ｄの向き）に押す。これにより、第２ロッド８２は下方に移動して第２ロッド８２に接続された遊技機２の扉２２用の施錠装置が開錠されるようになっている。
開錠装置１は、フック５６が、第１ロッド８１のバーＢと第２ロッド８２のバーＢに対して上述の働きかけを行えるよう、ロッド８に対する位置関係を調節されている。
フック本体５６Ａの後側の面にはまた、ガイド棒Ｇを挿入するための孔５６Ｄが３つ設けられている。この孔５６Ｄの大きさは第２ロータ５４２の孔５４２Ｃよりも若干大きく、またその位置は孔５４２Ｃの位置に対応している。孔５６Ｄは、フック本体５６Ａを貫通していなくてもよいが、この実施形態では貫通している。
後述する初期状態においては、フック５６の３つの孔５６Ｄには３本のガイド棒Ｇの前側の端部がそれぞれ挿入される。
【００３６】
次いで、フック係止体５７について説明する。フック係止体５７は、図５に示されている。
フック係止体５７は、フック本体５６Ａに設けられた係止孔５６Ｃと係止し合う断面形状を持ち、その後端に位置するフック係止体本体部５７Ａと、略半球形状であり、その前側に位置する半球部５７Ｂとを備えている。フック係止体本体部５７Ａの断面形状は、切欠部５１９が存在する部分における内筒係止体５１７の断面の形状と同じ略小判型となっている。半球部５７Ｂは、内筒係止体５１７の凹面５１８に挿入可能な形状となっている。なお、図５で半球部５７Ｂの横側に現れている蒲鉾状の面５７Ｃは、半球部５７Ｂの断面である。
また、フック係止体５７は、フック係止体本体部５７Ａの後側の面から、半球部５７Ｂの前側の面までを貫通する、この実施形態では断面円形とされたフック孔５７Ｄを備えている。
フック係止体５７は、フック係止体５７のフック孔５７Ｄをボルト５３で貫いた状態でボルト５３に取付けられる。このとき半球部５７Ｂは、内筒係止体５１７の凹面５１８に嵌り合い内筒係止体５１７の凹面５１８に当接した状態となる。フック係止体５７がボルト５３に取付けられるとき、フック係止体５７のフック孔５７Ｄと、ボルト５３とは、固定されない。また、初期状態では、フック本体５６Ａの係止孔５６Ｃにフック係止体本体部５７Ａが、フック本体５６Ａの後側の面と、フック係止体本体部５７Ａの後側の面とが面一となるような状態で挿入されている。
【００３７】
次いで、板バネ５８について説明する。板バネ５８は、図５に示されている。
板バネ５８は、リング状の板バネ本体部５８Ａとその外周から後方に向かって広がるように斜めに延びるバネ部５８Ｂとを備えている。板バネ５８は、板バネ本体部５８Ａが後述する半円部材５９に当接するように配置されることになる。
板バネ５８は、そのバネ部５８Ｂにより、フック５６を後方に押すように作用する。これにより、後述する初期状態においては、フック本体５６Ａの孔５６Ｄから、ガイド棒Ｇが脱落することが防止される。
【００３８】
次に、半円部材５９について説明する。半円部材５９は、図５に示されている。
半円部材５９は、この実施形態では樹脂製である。半円部材５９は、この実施形態では、略半円形の２つの部材である。半円部材５９は、円形となるように向きあわせて配置される。向き合った２つの半円部材５９が作る円は、溝Ｘに対応するようにされており、半円部材５９は溝Ｘに嵌り合うように配置されることになる。
向き合った２つの半円部材５９の間には２つの隙間がある。その隙間のうちの一方の間に、上述した突出部５１６Ａが位置するようになっている。
半円部材５９の他方の隙間側の前側の面のそれぞれには、その端部に向かうにつれて後側に向かう傾斜を持つ傾斜面５９Ａが与えられている。
なお、上述した板バネ５８は、その板バネ本体部５８Ａが２つの半円部材５９の後側の面に当接した状態で配置されることになる。
【００３９】
以上のように構成された本体部５は、ロータ５４が回転すると、ロータ５４に嵌っているガイド棒Ｇが回転するので、ガイド棒Ｇに接続されている押し板５５及びフック５６も回転することになる。このとき、スプリングＳにより前側に付勢されている押し板５５によってフック５６は前側に向けて付勢されているが、フック５６は板バネ５８により後側に押されており、前側に移動し過ぎることを抑制されているから、フック本体５６Ａの孔５６Ｄにガイド棒Ｇは挿入された状態であり、孔５６Ｄからガイド棒Ｇが脱落することはない。
また、この初期状態では、上述したように、フック係止体５７の凹部半球部５７Ｂは、内筒係止体５１７の凹面５１８に嵌り合い、他方フック５６のフック本体５６Ａの係止孔５６Ｃにはフック係止体本体部５７Ａが、フック本体５６Ａの後側の面と、フック係止体本体部５７Ａの後側の面とが面一となるような状態で挿入されている（図１４（Ａ））。フック本体５６Ａの係止孔５６Ｃに単にボルト５３が貫通した状態であれば、ボルト５３を軸としてフック５６が回転した場合にボルト５３と係止孔５６Ｃの間でガタが生じるが、ボルト５３の径と略同径であり、ボルト５３に貫かれたフック孔５７Ｄを有するフック係止体５７を介してフック５６はボルト５３に取付けられた状態となっているので、フック５６が回転するのとともに、フック５６に係止されたフック係止体５７もボルト５３周りに回転するが、フック５６がボルト５３周りに回転したときにガタが生じない。
この初期状態では、上述したように、ロータ５４が回転すると、フック５６が回転する。それによりロータ５４が時計回りに回転した場合には、遊技機２用の施錠装置が開錠され、島３に対して遊技機２が開放できるようになる。他方、ロータ５４が反時計回りに回転した場合には、遊技機２の扉２２用の施錠装置が開錠され、遊技機２の遊技機本体２１に対して扉２２が開放できるようになる。
ロータ５４の回転により、遊技機２用の施錠装置又は遊技機２の扉２２用の施錠装置が開錠される場合においては、フック５６と係止されたフック係止体５７は、内筒係止体５１７と互いに係止されていないので、フック５６とともに回転するフック係止体５７は内筒係止体５１７に対して空回りし内筒係止体５１７には伝わらない。したがってフック５６の回転は、内筒５１４へは伝わらない。つまり、初期状態においては、内筒５１４がタンブラーによって外筒５１３に固定されていたとしても、フック５６の回転は内筒５１４に妨げられることはない。
【００４０】
他方、特定の鍵を内筒５１４の鍵穴５１５に挿入すると、内筒５１４の外筒５１３に対するタンブラーによる固定が解除されて、内筒５１４は外筒５１３に対して回転可能となる。そして、鍵を回して内筒５１４を回転させると、内筒５１４と一体となった段差部５１６が回転し、段差部５１６の後側の面に設けられた棒状の突出部５１６Ａも回転する。すると、突出部５１６Ａに、半円部材５９が押され、半円部材５９は溝Ｘから外に掻き出される。半円部材５９の突出部５１６Ａと反対側の前側の面は、上述のように、端部に向かうにつれて後側に向かう傾斜を与えられた傾斜面５９Ａがあるので、半円部材５９は溝Ｘの縁などに引っ掛ることなく溝Ｘから掻き出されやすい。この実施形態では、鍵を両側に回転させることで、溝Ｘから２つの半円部材５９を掻き出せるようになっている。ホールの店員などの操作者は、扉２２を開放すれば、半円部材５９が溝Ｘから除去されていることを、溝Ｘから掻き出された半円部材５９を確認することにより、或いは本体部５の溝Ｘに半円部材５９が存在しないことを確認することにより、目視で確認することができる。溝Ｘから除去された半円部材５９は、スプリングＳにより板バネ５８が下方向に押されていることにより、特殊な器具でも用いない限り、溝Ｘに元通りに嵌めることは不可能である。
半円部材５９が溝Ｘから掻き出されると、半円部材５９にその前側の面で当接していた板バネ５８はベース板５１１方向に移動し、ベース板５１１の後側の面に当接する。すると、スプリングＳによる付勢力を受けている押し板５５と、押し板５５から付勢されているフック５６が、ボルト５３に案内されながら、ベース板５１１に向かって移動し、フック５６におけるフック本体５６Ａの係止孔５６Ｃに内筒係止体５１７の切欠部５１９が存在する部分が嵌り合い、フック本体５６Ａの前側の面が切欠部５１９の後側の面に当接した状態となる（図１４（Ｂ））。なお、このときガイド棒Ｇの前側の端部は、フック５６の孔５６Ｄに挿入されていない状態となる。ガイド棒Ｇの長さはそのように設計されている。
このように、半円部材５９は、板バネ５８とともに、フック５６が前側に移動するのを抑制するものとなっている。この機能を有する限り、半円部材５９は、２つの半円形の形状であるを要しない。
この状態になると、内筒係止体５１７とフック５６が係止された状態となるので、鍵を回転させたことによって生じる内筒５１４の回転は、フック係止体５７を介してフック５６に伝わることになる。つまり、この状態では、鍵によって生じる内筒５１４の回転運動によって、フック５６が回転することになるので、鍵によって、遊技機２用の施錠装置と、遊技機２の扉２２用の施錠装置を開錠できるようになる。フック５６がいずれの施錠装置を開錠するかは、ロータ５４の回転によりフック５６が回転する上述の場合と同様である。また、この状態では、フック５６と、ガイド棒Ｇとの接続がなくなっているため、フック５６の回転はガイド棒Ｇに伝わらず、したがって、ロータ５４にも、ロータ５４に接続された後述の線状体にも、後述の駆動ロータにもフック５６の回転は伝わらない。つまり、この場合には、線状体や駆動ロータの存在が、フック５６の回転を妨げることはない。
【００４１】
上述のように、初期状態においては、ロータ５４が回転することによって、フック５６が回転するが、ロータ５４が回転する仕組みは、この実施形態では以下の通りである。
上述したように、ロータ５４には、ナット５４２Ｄが取付けられており、両ナット５４２Ｄには、取付孔５４２Ｆが２つ穿たれている。これら取付孔５４２Ｆのうち外側にあるものから、後述する駆動部４から延び、カバー５２の線状体孔５２５からカバー５２内に入り込んでいる２本の線状体Ｃのうちの一本を挿入し、内側にあるものからそれを引き出す。その状態で、第１ロータ５４１の孔５４１Ｄからボルト５４１Ｅを挿入して、ナット５４２Ｄとの間で線状体Ｃをかしめることによって、ナット５４２Ｄに線状体Ｃの固定をなす。この状態における線状体Ｃは、その長さ方向に沿って互いに溶着された曲折することができる程度にしなやかな２本の樹脂製のチューブＴの中に収められており、略平行を保つようにされている。この実施形態における線状体Ｃは、必ずしもこの限りではないが、自転車のブレーキケーブルと同様のものとすることができ、それと同様に曲折することができる程度にしなやかな金属製のケーブルである。
上述したように、第３ロータ５４３の径は、第１ロータ５４１、第２ロータ５４２、第４ロータ５４４よりも小径となっており、ロータ５４全体として見た場合には、第３ロータ５４３の部分に溝が存在するような状態となっているので、線状体Ｃはその溝の中を沿わせたような状態となるようにする。
このようにして線状体Ｃをロータ５４に取付けた状態を、図７に示す。図７に示したように、２本の線状体Ｃは、線状体Ｃの中間に引いた線の延長がボルト５３に向かう、ロータ５４の円形な面に略平行であり、また互いに略平行な関係にある。また、２本の線状体Ｃは、それらの先端がロータ５４の向こう側に回りこんだ状態でロータ５４の側面に固定された状態となる。
この状態で、図７中右側の線状体Ｃが下に引かれるとロータ５４は時計回りに、図７中左側の線状体Ｃが下に引かれるとロータ５４は反時計回りに、ボルト５３を中心としてそれぞれ回転することになる。
【００４２】
次に、駆動部４について説明する。
駆動部４は、上述したように、遊技機２から離れた適当な場所に配されるが、この実施形態では島３の上板３１に配されている。そして、駆動部４は、本体部５と伝達体６にて接続されている。
駆動部４は、本体部５に設けられたロータ５４を任意の方向へ任意の量だけ回転させるための動力を発生させるものである。そして、伝達体６は、その動力を駆動部４から本体部５へと伝えるものである。
【００４３】
駆動部４は、図８、図９に示したように構成されている。
図８（Ａ）は駆動部４の斜視図、同（Ｂ）は駆動部４の分解図、図９は、後述する後部カバーを外した状態の駆動部４の斜視図である。
駆動部４は、図８に示したように、固定板４１、上カバー４２、後部カバー４３、アクチュエータ４４、駆動ロータ４５を含んで構成されている。これらは特に断りがない限り、概ね金属で構成されている。
【００４４】
固定板４１は、図１、図２に示したように、上板３１の後側の縁に駆動部４を取付けるための部品である。駆動部４は、固定板４１にその他の部品を組み付けてなる。
固定板４１は、上板３１に載置させるための基板４１１、その両側に基板４１１に垂直に設けられた側面板４１２、その後側の端部に設けられた上板３１の後端面に沿わせる下側板４１３、及びその反対側の端部に設けられた上側板４１４を備えている。下側板４１３は、後述する上カバー４２との固定をなすための孔を形成するための固定体４１５を備えている。
【００４５】
上カバー４２は、その内部にアクチュエータ４４を適宜位置決めして保持するための部品である。アクチュエータ４４を上カバー４２に固定する方法は、適宜選択すれば良い。
上カバー４２は、略直方体の箱状の形状をしており、且つ図８における下側の面と奥側の面は、その内部にアクチュエータ４４を入れ込めるように開放されている。上カバー４２の後面には、後述するアクチュエータ本体部４４１の回転軸を外部に露出させるための孔４２１が設けられているとともに、その下方に、上カバー４２と固定板４１との固定をなすための挿入部４２２が設けられている。挿入部４２２は固定体４１５が形成した孔に挿入されることにより、上カバー４２の固定板４１への固定をなす。挿入部４２２の先端には、挿入部４２２の固定板４１からの抜け止め用のかえし４２３が設けられている。
【００４６】
後部カバー４３は、駆動ロータ４５をその内部に収納するカバーである。後部カバー４３は、例えば、ビスを用いて、基板４１１に取付けられている。後部カバー４３の下方には、底となる板があり、その板には、図示を省略するが伝達体である、線状体Ｃを通すための孔が穿たれている。その孔を介して後部カバー４３の中に入り込んだ線状体Ｃが、駆動ロータ４５に固定される。
【００４７】
アクチュエータ４４は、任意の方向、任意の量の回転運動を生じさせることができるものであれば、周知のもので足りるが、この実施形態ではソレノイドアクチュエータにより構成されている。
アクチュエータ４４は、有線又は無線で、例えばホールの従業員である操作者が操作する入力装置からの信号を受取ってアクチュエータ４４の制御を行う図示せぬ制御回路によって制御される。入力装置は、いずれもこの限りではないが、有線での入力を操作者が行う場合においては上述した呼び出しランプか、又はその周辺に取付けることができ、また、無線での入力が行われる場合には無線のリモートコントローラ装置とすることができる。
アクチュエータ４４は、動力を発生させるアクチュエータ本体部４４１と、アクチュエータ本体部４４１が発生させた動力により回転する回転軸４４２とを備えている。回転軸４４２は、上カバー４２の孔４２１を貫通した状態で、上カバー４２から露出させられるようになっている。
【００４８】
駆動ロータ４５は、ロータ５４を簡素にしたような構成となっている。
駆動ロータ４５は、第１駆動ロータ４５１、第２駆動ロータ４５２、第３駆動ロータ４５３の３枚の板から構成されている。
【００４９】
第１駆動ロータ４５１は、ロータ５４における第２ロータ５４２と略同じ構成とされている。第１駆動ロータ４５１の径は必ずしもこの限りではないが、第２ロータ５４２と同じである。
第１駆動ロータ４５１が第２ロータ５４２と異なるのは、第２ロータ５４２が備えていたボルト５３を貫通させるための孔５４２Ａ、スプリングＳを貫通させるための孔５４２Ｂ、ガイド棒Ｇを貫通させるための孔５４２Ｃを備えないという点である。
その代わり、第１駆動ロータ４５１は、アクチュエータ４４の回転軸４４２との固定をなすための、第１駆動ロータ４５１を貫通する必要のない図示せぬ孔を備えている。かかる部位での固定は、例えば接着により行うことができる。
なお、第１駆動ロータ４５１は、第２ロータ５４２が備えていたナット５４２Ｄと同じように構成されたナット４５１Ａを備えている。
【００５０】
第２駆動ロータ４５２は、ロータ５４における第３ロータ５４３と略同じ構成とされている。第２駆動ロータ４５２の径は、第３ロータ５４３と同じである。
第２駆動ロータ４５２が第３ロータ５４３と異なるのは、第３ロータ５４３が備えていたボルト５３を貫通させるための孔５４３Ａ、スプリングＳを貫通させるための孔５４３Ｂ、ガイド棒Ｇを貫通させるための孔５４３Ｃを備えないという点である。
なお、第２駆動ロータ４５２は、第３ロータ５４３がナット５４２Ｄと干渉しないように切り欠かれていたのと同じように、ナット４５１Ａと干渉しないように切り欠かれている。
【００５１】
第３駆動ロータ４５３は、ロータ５４における第４ロータ５４４と略同じ構成とされている。第３駆動ロータ４５３の径は、必ずしもこの限りではないが、第４ロータ５４４と同じである。
第３駆動ロータ４５３が第４ロータ５４４と異なるのは、第４ロータ５４４が備えていたボルト５３を貫通させるための孔５４４Ａ、スプリングＳを貫通させるための孔５４４Ｂ、ガイド棒Ｇを貫通させるための孔５４４Ｃを備えないという点である。
【００５２】
第１駆動ロータ４５１、第２駆動ロータ４５２、第３駆動ロータ４５３は、ロータ５４と同様に、同軸で固定される。かかる固定はどのようにされてもよいが、この実施形態では接着で行われている。
その結果、駆動ロータ４５は、小径の第２駆動ロータ４５２の部分に溝を持つことになり、外観として見た場合にロータ５４と略同様の構成を採ることとなる。
そして、ロータ５４に線状体Ｃを取り付けたのと同様の方法で、駆動ロータ４５に、その２本の線状体Ｃの他端を取付ける。チューブＴの他端は、線状体Ｃを通すための後部カバー４３の底に設けられた上述の孔に固定される。線状体Ｃは、駆動ロータ４５の面と平行であり、且つそれらの中間に引いた線の延長線が駆動ロータ４５の軸に向かうようになっているとともに、それらの先端が駆動ロータ４５の向こう側に回りこんだ状態で駆動ロータ４５の側面に固定される。線状体Ｃは、駆動ロータ４５の側面の溝に入れ込まれた状態となる。
【００５３】
駆動部４は、以下のようにして、フック５６を回転させる。
操作者が図示を省略の上述した入力装置を操作した場合、その操作によって生じた入力に応じて、アクチュエータ４４がその回転軸４４２を回転させる。その結果、駆動ロータ４５が回転する。駆動ロータ４５が回転すると、２本の線状体Ｃのうちの一方は、本体部５から引き寄せられ、他方は本体部５に対して押し出されることになる。２本の線状体Ｃのうち本体部５から引き寄せられるものが、駆動ロータ４５が回転したのと同じ角度だけ、ロータ５４を回転させる。これにより、ロータ５４が回転したのと同じ角度だけ、フック５６が回転する。
アクチュエータ４４が回転軸４４２を回転させる方向を逆転させた場合には、フック５６の回転の方向が逆転する。
アクチュエータ４４の回転軸４４２の回転方向を制御することにより、ロータ５４及びフック５６の回転を制御することができる。
入力装置によってアクチュエータ４４に入力を行える信号を、フック５６が遊技機２用の施錠装置を開錠するようにフック５６を回転させるものと、フック５６が遊技機２の扉２２用の施錠装置を開錠するようにフック５６を回転させるものに予め限定しておけば、２つの施錠装置のうちのどちらかの開錠を促す入力を操作者が選択するのみで、開錠させる施錠装置を選択できることとなる。
【００５４】
以上説明したような開錠装置１の取付けられた遊技機２は、以下のようにして用いられる。
まず、初期状態或いは通常の状態においては、扉２２の施錠、開錠の管理は、上述した入力装置を用いて行う。
操作者が入力装置を操作すると、駆動ロータ４５が回転して、それに伴い本体部５のロータ５４が回転する。そして、ロータ５４が回転するとフック５６が回転する。
この状態では、半円部材５９が存在しており、半円部材５９がある分だけ半円部材５９がないときよりもロータ５４寄りに位置している板バネ５８によってフック５６はロータ５４寄りに位置しているから、フック５６は、内筒係止体５１７とは係止せずに、フック係止体５７と係止し合った状態となっている。他方、フック係止体５７と内筒係止体５１７は係止されておらず、また、ガイド棒Ｇによりフック５６はロータ５４と接続されている。
したがって、上述のロータ５４の回転は、ガイド棒Ｇを介してフック５６には伝達されるが、フック５６の回転はフック係止体５７には伝わるが内筒５１４には伝わらないから、内筒５１４が外筒５１３に固定されていても、フック５６の回転が内筒５１４に妨げられることがない。
このように、初期状態或いは通常の状態においては、入力装置の操作により開錠装置１の施錠と開錠を選択できる。
【００５５】
駆動部４が故障した場合等、初期状態或いは通常の状態での上述の如き扉２２の施錠、開錠の管理を行えなくなった場合には、操作者は、特定の鍵を用いて、扉２２を施錠し、または開錠する。
この場合、操作者は、内筒５１４の鍵穴５１５に鍵を挿入する。すると、内筒５１４の外筒５１３に対する固定が解かれて内筒５１４が鍵の回転にしたがって回転可能になる。この状態で操作者が内筒５１４を回転させると、２つの半円部材５９は溝Ｘから外れる。
半円部材５９がなくなると、半円部材５９の厚さ分だけ板バネ５８が溝Ｘに近づき、その分だけフック５６は溝Ｘに近づく。そうすると、フック５６は、フック係止体５７との係止が解かれ、内筒係止体５１７と係止し合う。このとき、ロータ５４に嵌っているガイド棒Ｇは、フック５６の孔５６Ｄから抜けている。
この状態では、鍵によって生じる内筒５１４の回転運動によって、フック５６が回転することになるので、鍵によって、遊技機２用の施錠装置の開錠と、遊技機２の扉２２用の施錠装置の開錠を選択的に行える。また、上述したように、この状態では、フック５６と、ガイド棒Ｇとの接続がなくなっているため、フック５６の回転はガイド棒Ｇに伝わらず、したがって、フック５６の回転はロータ５４にも、ロータ５４に接続された線状体Ｃにも、駆動ロータ４５にも伝わらないから、線状体Ｃや駆動ロータ４５の存在が、鍵によって生じるフック５６の回転を妨げることはない。
なお、半円部材５９が溝Ｘから除去されていることは、目視で確認することができるから、誰かが鍵を用いて半円部材５９を除去したことは第三者から確認できるため、鍵の不正な使用は生じにくい。一度除去された半円部材５９は、特殊な器具でも用いない限り溝Ｘに元通りに嵌めることができないので尚更である。
【００５６】
駆動部４を用いた場合、鍵を用いた場合のいずれの場合でも、遊技機２用の施錠装置が開錠されて開放された遊技機２、又は遊技機２の扉２２用の施錠装置が開錠されて開放された扉２２は、手動で閉められる。これにより、いずれの施錠装置も遊技機２又は扉２２を施錠する。
【００５７】
≪第２実施形態≫
次に、第２実施形態の開錠装置１の説明を行う。
第２実施形態の開錠装置１と第１実施形態の開錠装置１の基本的な構造は同じであるが、第２実施形態の開錠装置１は第１実施形態の開錠装置１と以下の２点で異なっている。
まず、第２実施形態の開錠装置１では、本体部５から離れたところにあり伝達体６で本体部５に接続されていた第１実施形態の駆動部４が、本体部５と一体とされているという点である。なお、この変更に伴い、第２実施形態の開錠装置１の本体部５には幾らかの修正が加えられている。
もう一つは、第２実施形態の開錠装置１では、本体部５に、半円部材５９が溝Ｘから外れた場合にそれを検知するための機構が設けられているということである。
以下、上記２点の変更点を中心として、第２実施形態の開錠装置１の説明を進める。
【００５８】
第２実施形態における開錠装置１の本体部５の構成を、図１０、及び図１２の側面図と、図１１の分解斜視図に示す。
本体部５は、第１実施形態の場合と同様のベース体５１を備える。ベース体５１は、ベース板５１１を備え、ベース板５１１には、外筒５１３、内筒５１４が設けられているが、これらの構成は、段差部５１６、突出部５１６Ａ、内筒係止体５１７、凹面５１８、切欠部５１９、溝Ｘを含めて、すべて第１実施形態の場合と同様とすることができ、第２実施形態ではそうされている。
【００５９】
本体部５のベース体５１に含まれるベース板５１１の後側の面には、種々の部品が組み付けられている。
部品は、第１実施形態の場合と同様、断面略コの字型でその両端にフランジ５２１のあるカバー５２に収納されている。両フランジ５２１に、孔５２２が設けられているのも第１実施形態と同様である。この孔５２２は、第１実施形態の場合と同様に、ネジ５２２Ａを用いて、本体部５を遊技機２に取付けるために用いられる。
カバー５２の略中央には、孔５２３が設けられている。第１実施形態の孔５２３は、ボルト５３を貫通させるためのものであったが、この実施形態では、後述するアクチュエータの回転軸を貫通させるためのものとなっており、その内周面のネジ切りはなされていない。カバー５２の孔５２３の両側には、いずれも円形の孔５２３Ａが設けられている。この孔５２３Ａは、図１１の下側から貫通させたボルト５２３Ｂにより、アクチュエータを固定するためのものである。なお、第２実施形態のカバー５２には、第１実施形態のカバー５２にあったハート孔５２４、線状体孔５２５はない。
【００６０】
カバー５２の後方には、外筒５１３の延長方向にその長手方向が乗るようにして、アクチュエータ４４が設けられている。アクチュエータ４４の構成、制御機構、入力装置などは第１実施形態の場合と同一で良く、第２実施形態ではそうされている。アクチュエータ４４が第１実施形態で説明した如き入力装置を用いて操作されるのも第１実施形態と変わらない。
アクチュエータ４４は、第１実施形態の場合と同様、回転軸４４２を備えている。回転軸４４２は、上述の孔５２３から、カバー５２の前側に突き出された状態となっている。なお、アクチュエータ４４は、カバー５２の後方に設けられた断面コの字型のアクチュエータカバー５２６に囲まれている。
【００６１】
アクチュエータ４４の回転軸４４２の先端には、ロータ５４Ｘが固定されている。
ロータ５４Ｘから、内筒５１４の段差部５１６までの間には、第１実施形態の場合と同様に、押し板５５、フック５６、フック係止体５７が、また、フック係止体５７の前側から、内筒５１４の段差部５１６の後側の面までの間には、板バネ５８と、２つの半円部材５９が配置される。押し板５５、フック５６、フック係止体５７、板バネ５８、２つの半円部材５９の構成はすべて第１実施形態と同じでよい。押し板５５、フック５６、フック係止体５７、板バネ５８、２つの半円部材５９のすべては、第１実施形態の場合と同様に、ボルト５３Ｘにより貫通されている。このボルト５３Ｘは、第１実施形態のボルト５３と同様にその先端を内筒穴５１８Ａに螺合されている。第２実施形態のボルト５３Ｘはこのように、第１実施形態におけるボルト５３と基本的にその構成、機能が同一であるが、その長さが第１実施形態の場合よりも短くなっている。第２実施形態におけるボルト５３Ｘの長さは、ロータ５４Ｘの途中までに及ぶ長さとしかなっていない。より詳細には、この実施形態のボルト５３Ｘは、内筒孔５１８Ａから後述する第３ロータ５４３Ｘの内部までにしか及ばない長さとなっている。
【００６２】
第２実施形態のロータ５４Ｘは伝達体６を用いないことにしたことに伴って第１実施形態のロータ５４とその構成が変わっている。以下、ロータ５４Ｘの構成につき説明する。
ロータ５４Ｘは、アクチュエータ４４の回転軸４４２の回転に伴って回転する部材である。したがって、伝達体６を固定するための第１実施形態におけるナット５４２Ｄや、ボルト５４１Ｅなどが不要となっている。
第２実施形態のロータ５４Ｘは、第１ロータ５４１Ｘ、第２ロータ５４２Ｘ、第３ロータ５４３Ｘの３つの部材から構成されている。もっとも、第２ロータ５４２Ｘと第３ロータ５４３Ｘの構成は基本的に同じであり、これらを１部品としても構わない。
この実施形態の第１ロータ５４１Ｘ、第２ロータ５４２Ｘ、第３ロータ５４３Ｘは、すべて同径である。
第１ロータ５４１Ｘは円板状の部材である。第１ロータ５４１Ｘの後側の面には、アクチュエータ４４の回転軸４４２との固定をなすための孔５４１１Ｘが設けられている。
第２ロータ５４２Ｘは円板状の部材である。第２ロータ５４２Ｘの中心には、ボルト５３Ｘの径と同径の孔５４２ＡＸが穿たれている。また、第２ロータ５４２Ｘには、第１実施形態の場合と同様のスプリングＳを通すための孔５４２ＢＸが３つ穿たれている。３つの孔５４２ＢＸは、第１実施形態の孔５４２Ｂと同様、正三角形の頂点に存在するような位置関係にある。また、第２ロータ５４２Ｘには、第１実施形態の場合と同様のガイド棒Ｇを通すための孔５４２ＣＸが３つ穿たれている。これらの位置関係は、第１実施形態の孔５４２Ｃと同様である。
第３ロータ５４３Ｘは、上記第２ロータ５４２Ｘとその構成を同じくする。
第３ロータ５４３Ｘの中心には、第２ロータ５４２Ｘの孔５４２ＡＸと同じである孔５４３ＡＸが穿たれており、また、その周囲には、第２ロータ５４２Ｘの孔５４２ＢＸと同じである孔５４３ＢＸが３つ、第２ロータ５４２Ｘの孔５４２ＣＸと同じである孔５４３ＣＸが３つ、穿たれている。
【００６３】
このロータ５４Ｘは次のように組み立てられる。
ロータ５４Ｘは、第１ロータ５４１Ｘ、第２ロータ５４２Ｘ、第３ロータ５４３Ｘを、隣り合う者同士を密着して固定して構成される。このときの固定の手段は、これには限られないが、例えば接着を用いることができる。
【００６４】
かかる固定を行うにあたり、第２ロータ５４２Ｘの孔５４２ＡＸと、第３ロータ５４３Ｘの孔５４３ＡＸを対応させて一連の孔とし、また、第２ロータ５４２Ｘの３つの孔５４２ＢＸと、第３ロータ５４３Ｘの３つの孔５４３ＢＸを対応させて３つの一連の孔とし、更に第２ロータ５４２Ｘの３つの孔５４２ＣＸと、第３ロータ５４３Ｘの３つの孔５４３ＣＸを対応させて３つの一連の孔とする。
そして、第２ロータ５４２Ｘの孔５４２ＡＸと、第３ロータ５４３Ｘの孔５４３ＡＸを対応させて作った一連の孔にボルト５３Ｘを挿入し、また、第２ロータ５４２Ｘの３つの孔５４２ＢＸと、第３ロータ５４３Ｘの３つの孔５４３ＢＸを対応させて作った３つの一連の孔のそれぞれに、スプリングＳをそれぞれ挿入し、また第２ロータ５４２Ｘの３つの孔５４２ＣＸと、第３ロータ５４３Ｘの３つの孔５４３ＣＸを対応させて作った３つの一連の孔にガイド棒Ｇを挿入する。スプリングＳは、第１実施形態の場合と同様、押し板５５との間で圧縮した状態とされる。
なお、ロータ５４Ｘとボルト５３Ｘとは、第１実施形態のロータ５４とボルト５３がそうであったように固定されない。
【００６５】
また、この実施形態では、ベース体５１に設けられた円形の溝Ｘの周囲を囲むようにドーナツ形状のリング電極Ｒが設けられている。リング電極Ｒは、半円部材５９が溝Ｘから除去されて溝Ｘの方向に移動してきた板バネ５８のバネ本体部５８Ａと接触した場合に、その接触が生じたことを検知するための電極である。つまり、リング電極Ｒは、半円部材５９が溝Ｘから除去されたことを間接的に検知するものであるともいえる。そのような検知が可能である限り、リング電極Ｒは上記の構成によるものに限られず、例えば、上述のように板バネ５８とリング電極Ｒとの接触により半円部材５９が溝Ｘから除去されたことを検知するという検知原理を採用する場合においても、そのような接触が生じる限り適当な形状に変形することが可能であり、必ずしもその形状はリング状であるには及ばない。
この実施形態のリング電極Ｒは、遊技機２外、もっと言えば島３外の適当な機器に接続されており、ホールの従業員はリング電極Ｒが上述の検知を行った場合、その機器から文字、図形、音等による五感により検知可能な警告を受けとれるようになっている。それにより、ホールの従業員は半円部材５９の除去が生じたこと、ひいては、開錠装置１の開錠に鍵が用いられたことを知ることができるようになる。上述の警告は、リング電極Ｒが上述の接触を検知したのと同時に行われるのが好ましく、また、例えばパーソナルコンピュータなどの適当なコンピュータに内蔵されたか接続された記録媒体に上述の検知があった事実がその検知が行われた時刻とともに記録されるのが好ましい。
【００６６】
以上説明したような第２実施形態による開錠装置１の取付けられた遊技機２は、以下のようにして用いられる。
まず、初期状態或いは通常の状態においては、扉２２の施錠、開錠の管理は、第１実施形態で説明したのと同様の上述した入力装置を用いて行う。
操作者が入力装置を操作すると、アクチュエータ４４の回転軸４４２が回転し、それに伴いロータ５４Ｘが回転する。ロータ５４Ｘに嵌っているガイド棒Ｇは、第１実施形態の場合と同様にフック５６の孔５６Ｄに嵌っているので、アクチュエータ４４の回転軸４４２が回転すると、ガイド棒Ｇを介してその回転はフック５６に伝わるので、フック５６が回転する。このとき、板バネ５８によりアクチュエータ４４側に押されているフック５６は、フック係止体５７と係止されているが、フック係止体５７の存在により、ボルト５３Ｘの周りをフック５６が回転してもガタは生じない。またこのとき、フック５６の回転が外筒５１３に固定された内筒５１４に妨げられないのは第１実施形態と同様である。
このように、初期状態或いは通常の状態においては、入力装置の操作により開錠装置１を駆動させ、遊技機２用の施錠装置と、遊技機２の扉２２用の施錠装置の開錠を選択的に行える。
【００６７】
駆動部４が故障した場合等、初期状態或いは通常の状態での遊技機２用の施錠装置と、遊技機２の扉２２用の施錠装置の開錠を行えなくなった場合には、操作者は、特定の鍵を用いて、遊技機２用の施錠装置又は遊技機２の扉２２用の施錠装置を開錠する。
この場合、操作者は、内筒５１４の鍵穴５１５に鍵を挿入する。すると、内筒５１４の外筒５１３に対する固定が解かれて内筒５１４が鍵の回転にしたがって回転可能になる。この状態で操作者が内筒５１４を回転させると、第１実施形態の場合と同様、半円部材５９は溝Ｘから外れる。
フック５６が溝Ｘに近づくと、第１実施形態の場合と同様に、フック５６はフック係止体５７との係止が解かれ、内筒係止５１７と互いに係止し合う。この状態では、鍵によって生じる内筒５１４の回転運動によって、フック５６が回転することになるので、鍵によって、扉２２の開錠と施錠を行える。
このとき、ロータ５４Ｘに嵌っているガイド棒Ｇは、第１実施形態の場合と同様にフック５６の孔５６Ｄから抜けているので、ロータ５４Ｘやアクチュエータ４４の存在が、鍵によるフック５６の回転を妨げることはない。
また、半円部材５９がなくなると、半円部材５９の厚さ分だけ板バネ５８が溝Ｘに近づき、その分だけフック５６は溝Ｘに近づく。溝Ｘ方向に移動した板バネ５８の板バネ本体部５８Ａは、図１２のような状態となり、リング電極Ｒと接触する。そうすると、上述の如き警告がホール店員に与えられる。
なお、半円部材５９が溝Ｘから除去されていることは、目視で確認することができるから、誰かが鍵を用いて半円部材５９を除去したことは第三者から確認できるため、鍵の不正な使用は生じにくい。一度除去された半円部材５９は、基本的に溝Ｘに元通りに嵌めることができないので尚更である。
【００６８】
なお、第２実施形態のリング電極Ｒを第１実施形態の開錠装置１に設け、第１実施形態の開錠装置１でも半円部材５９が溝Ｘから除去されたことをホールの店員等に警告できるようにすることができるのは当然である。
【符号の説明】
【００６９】
１  開錠装置
２  遊技機
３  島
４  駆動部
５  本体部
６  伝達体
８  ロッド
４４  アクチュエータ
８１  第１ロッド
８２  第２ロッド
４４１  アクチュエータ本体部
４４２  回転軸
４５  駆動ロータ
５１  ベース体
５２  カバー
５３  ボルト
５３Ｘ  ボルト
５４  ロータ
５４Ｘ  ロータ
５５  押し板
５５Ｃ  孔
５６  フック
５６Ｂ  フック部
５６Ｃ  係止孔
５７  フック係止体
５７Ａ  フック係止体本体部
５７Ｂ  半球部
５７Ｃ  フック係止部
５７Ｄ  フック孔
５８  板バネ
５８Ａ  板バネ本体部
５８Ｂ  バネ部
５９  半円部材
５９Ａ  傾斜面
５１１  ベース板
５１３  外筒
５１４  内筒
５１５  鍵穴
５１６  段差部
５１６Ａ  突出部
５１７  内筒係止体
５１９  切欠部
５２３  孔
５２４  ハート孔
５４１  第１ロータ
５４１Ｘ  第１ロータ
５４１Ａ  第１ロータ本体
５４１Ｂ  凸部材
５４１Ｃ  孔
５４１Ｄ  孔
５４２  第２ロータ
５４２Ｘ  第２ロータ
５４２Ａ  孔
５４２Ｂ  孔
５４２Ｃ  孔
５４２Ｄ  ナット
５４３  第３ロータ
５４３Ｘ  第３ロータ
５４３Ａ  孔
５４３Ｂ  孔
５４３Ｃ  孔
５４４  第４ロータ
５４４Ａ  孔
５４４Ｂ  孔
５４４Ｃ  孔
５４４Ｄ  孔
Ｃ  線状体
Ｇ  ガイド棒
Ｒ  リング電極
Ｓ  スプリング
Ｔ  チューブ
【図１】
0005808978.tif 000002
【図２】
0005808978.tif 000003
【図３】
0005808978.tif 000004
【図４】
0005808978.tif 000005
【図５】
0005808978.tif 000006
【図６】
0005808978.tif 000007
【図７】
0005808978.tif 000008
【図８】
0005808978.tif 000009
【図９】
0005808978.tif 000010
【図１０】
0005808978.tif 000011
【図１１】
0005808978.tif 000012
【図１２】
0005808978.tif 000013
【図１３】
0005808978.tif 000014
【図１４】
0005808978.tif 000015